(57)【特許請求の範囲】
【請求項１】
プログラムが記録される記録領域と、上記記録領域に記録されたプログラムを管理する管理領域とを備える記録媒体にプログラムを記録する記録装置において、
既に記録済のプログラムに追加して新規プログラムを記録する際に、記録の開始前に第１の操作入力が行われた場合には上記新規プログラムの記録終了後に上記新たに記録された新規プログラムが先頭プログラムになるとともに上記新規プログラムの記録前に既に上記記録媒体に記録されていたプログラムのトラック番号が１ずつ大きくなるように上記管理領域を編集し、上記第１の操作入力とは異なる第２の操作入力が行われた場合には上記新規プログラムが記録済みのプログラムに続けて記録されるように上記管理領域を編集し、
記録済み記録媒体が装着された状態で上記第１の操作入力および上記第２の操作入力と異なる第３の操作入力が行われた場合には、上記記録済み記録媒体に最後に記録されたプログラムが先頭プログラムになるように該プログラムのトラック番号を変更するとともに、上記変更前のトラック番号より小さいトラック番号が１ずつ大きくなるように上記管理領域を編集する編集手段を備える記録装置。
【請求項２】
プログラムが記録される記録領域と、上記記録領域に記録されたプログラムを管理する管理領域とを備える記録媒体にプログラムを記録する記録方法において、
既に記録済のプログラムに追加して新規プログラムを記録する際に、記録の開始前に第１の操作入力が行われたと判別された場合には上記新規プログラムの記録終了後に上記新たに記録された新規プログラムが先頭プログラムになるとともに上記新規プログラムの記録前に既に上記記録媒体に記録されていたプログラムのトラック番号が１ずつ大きくなるように上記管理領域を編集し、上記第１の操作入力とは異なる第２の操作入力が行われたと判別された場合には上記新規プログラムが記録済みのプログラムに続けて記録されるように上記管理領域を編集し、
記録済み記録媒体が装着された状態で上記第１の操作入力および上記第２の操作入力と異なる第３の操作入力が行われたと判別された場合には、上記記録済み記録媒体に最後に記録されたプログラムが先頭プログラムになるように該プログラムのトラック番号を変更するとともに、上記変更前のトラック番号より小さいトラック番号が１ずつ大きくなるように上記管理領域を編集する記録方法。
【請求項３】
プログラムが記録される記録領域と、上記記録領域に記録されたプログラムを管理する管理領域とを備える記録媒体にプログラムを記録する記録装置において、
第１の操作が入力される第１の操作入力手段と、
第２の操作が入力される第２の操作入力手段と、
上記第１の操作入力手段による入力の有無を判別する第１の判別手段と、
上記第２の操作入力手段による入力の有無を判別する第２の判別手段と、
上記記録媒体にデータを記録する記録手段と、
既に記録済のプログラムに追加して新規プログラムを記録する際に、記録の開始前に上記第１の操作入力手段による入力があったと上記第１の判別手段が判別し、且つ上記第２の判別手段が上記第２の操作入力手段による入力を未検出と判別した場合には、上記新規プログラムの記録後に上記新規プログラムが先頭プログラムになるとともに、上記新規プログラムの記録前に既に上記記録媒体に記録されていたプログラムのトラック番号が１ずつ大きくなるように上記管理領域のデータが書き換えられるように上記記録手段を制御し、
上記第２の操作入力手段による入力があったと上記第２の判別手段が判別し、且つ上記第１の判別手段が上記第１の操作入力手段による入力を未検出と判別した場合には、上記新規プログラムの記録後に上記新規プログラムが既に記録済みのプログラムに続くように上記管理領域が書き換えられるように上記記録手段を制御し、
上記第１の操作入力手段による入力があったと上記第１の判別手段が判別し、且つ上記第２の操作入力手段による入力があったと上記第２の判別手段が判別した場合には、上記記録媒体に既に記録されたプログラムのうち最後に記録されたプログラムが先頭プログラムになるように該プログラムのトラック番号を変更するとともに、上記変更前のトラック番号より小さいトラック番号が１ずつ大きくなるように上記管理領域が書き換えられるように上記記録手段を制御する制御手段と
を備える記録装置。
【請求項４】
プログラムが記録される記録領域と、上記記録領域に記録されたプログラムを管理する管理領域とを備える記録媒体にプログラムを記録する記録方法において、
第１の操作入力手段による入力の有無を判別し、
第２の操作入力手段による入力の有無を判別し、
既に記録済のプログラムに追加して新規プログラムを記録する際に、記録の開始前に上記第１の操作入力手段による入力があったと判別し、且つ上記第２の操作入力手段による入力を未検出と判別した場合には、上記新規プログラムの記録後に上記新規プログラムが先頭プログラムになるとともに、上記新規プログラムの記録前に既に上記記録媒体に記録されていたプログラムのトラック番号が１ずつ大きくなるように上記管理領域のデータを書き換え、
上記第２の操作入力手段による入力があったと判別し、且つ上記第１の操作入力手段による入力を未検出と判別した場合には、上記新規プログラムの記録後に上記新規プログラムが既に記録済みのプログラムに続くように上記管理領域を書き換え、
上記第１の操作入力手段による入力があったと判別し、且つ上記第２の操作入力手段による入力があったと判別した場合には、上記記録媒体に既に記録されたプログラムのうち最後に記録されたプログラムが先頭プログラムになるように該プログラムのトラック番号を変更するとともに、上記変更前のトラック番号より小さいトラック番号が１ずつ大きくなるように上記管理領域を書き換える記録方法。
【発明の詳細な説明】
【０００１】
【発明の属する技術分野】
この発明は、ＭＤ（Mini Disc ）にディジタルオーディオ信号を記録するのに用いて好適な記録装置及び記録方法に関するもので、特に、ＭＤ記録装置の操作性の改善に係わる。
【０００２】
【従来の技術】
カートリッジに収納された小型の光ディスク又は光磁気ディスクにディジタルオーディオ信号を圧縮して記録／再生するようにしたＭＤ記録／再生装置が普及している。ＭＤでは、小型のディスクが用いられ、手軽に録音や再生が行なえることから、ユーザが好みの音楽をディスクに記録し、携帯型のＭＤ再生装置に装着して外出先で音楽再生を楽しんだり、車載用のＭＤ再生装置に装着して自動車内で音楽再生を楽しむことが盛んに行なわれている。また、ＣＤから再生された楽曲をＭＤに記録したり、ＦＭ放送や衛星放送で送られてきた楽曲をＭＤに記録したりして、ユーザがオリジナルなＭＤを作成して、音楽再生を楽しむことが盛んに行なわれている。
【０００３】
ＭＤには、ユーザが記録した楽曲を管理するために、Ｕ−ＴＯＣと呼ばれるユーザデータの管理領域が設けられている。このＵ−ＴＯＣには、ディスクに記録した各楽曲のスタートアドレスやエンドアドレス等が各楽曲の曲番に対応して記録される。ＭＤを再生する際には、このＵ−ＴＯＣが参照されて、各楽曲がアクセスされる。
【０００４】
ＭＤに楽曲を記録したときの曲番は、従来のＭＤ記録／再生装置では、記録した曲の時間順に設定される。例えば、曲番「１」に「ＹＥＳＴＥＲＤＡＹ」、曲番「２」に「ＬＯＶＥ  ＭＥ  ＤＯ」、曲番「３」に「ＨＥＬＰ」が既に記録されているディスクに、新たに次の曲「ＬＥＴ  ＩＴ  ＢＥ」を記録しようとする場合、従来のＭＤ記録／再生装置では、次の曲番「４」に、「ＬＥＴ  ＩＴ  ＢＥ」が記録される。
【０００５】
【発明が解決しようとする課題】
このように、従来のＭＤ記録／再生装置では、ユーザがディスクに楽曲を記録する場合、楽曲の曲番が記録順に設定される。ところが、ユーザが自分の好みのアーチストの曲を集めてオリジナルなＭＤを作成したり、最新のヒット曲を集めてオリジナルなＭＤを作成する場合には、楽曲の曲番を記録順に設定することは、必ずしも好ましいものとはいえない。
【０００６】
つまり、例えば、あるアーチストのシングルＣＤが発売される毎にその曲をＭＤに記録して、そのアーチストのシングル曲を集めたユーザオリジナルのベストＭＤを作成するとする。この場合、従来のＭＤ記録／再生装置では、そのアーチストの曲が古い順に記録されることになる。通常の再生時には、先頭の曲番から順に再生が行なわれる。したがって、作成されたＭＤをそのまま再生すると、常に、最も以前に記録した曲から再生が開始される。この場合、ユーザが最も聴きたい曲は、新規に記録した最新のヒット曲であることが多いもにかかわらず、この最新のヒット曲の曲番は最後になるので、通常の再生では再生順が最後になってしまう。
【０００７】
また、例えば、ＦＭ放送や衛星放送で流されている曲の中から、ユーザが気に入った曲をＭＤに記録する場合、記録が終了したらその曲を再生させ、記録状態を確認するようなことが良く行なわれる。ところが、従来のＭＤ記録／再生装置では、この直前に記録した曲の曲番は最後になってしまい、そのまま再生すると、最も以前に記録した曲から再生が開始され、直前に記録した曲を簡単に再生することができない。
【０００８】
ＭＤは、アクセス速度が速く、所望の曲の先頭に簡単にアクセスできるので、直前に記録した曲の曲番を指定して再生を行なえば、直前に記録した曲を簡単に再生できる。また、ＭＤ記録／再生装置には、ディスクの曲番を編集する機能を有するものもあり、この機能を使えば、直前に記録した曲を先頭の曲番とすることができる。
【０００９】
つまり、以下のような操作を行なえば、従来のＭＤ記録／再生装置で、新規に記録した楽曲が先頭の曲番となるようにすることができる。
【００１０】
(1) ＭＤ記録／再生装置にＭＤを挿入する
(2) 既に記録されている曲の曲数及び曲番を確認する
(3) 録音キーを押して、新規の楽曲を記録する
(4) 録音が完了すると、その楽曲がそれまでの最後の曲番になっているので、編集キーを使って曲番を変更する
(5) 録音編集完了。
【００１１】
しかしながら、上述のような曲番の編集操作は簡単には行なえない。また、更に、次の楽曲を記録するときには、同様の操作を繰り返さなければならない。
【００１２】
したがって、この発明の目的は、新規に記録したプログラムの曲番を先頭の曲番にすることが容易に行なえる記録装置及び記録方法を提供することにある。
【００１３】
【課題を解決するための手段】
請求項１に係わる発明は、プログラムが記録される記録領域と、記録領域に記録されたプログラムを管理する管理領域とを備える記録媒体にプログラムを記録する記録装置において、
既に記録済のプログラムに追加して新規プログラムを記録する際に、記録の開始前に第１の操作入力が行われた場合には新規プログラムの記録終了後に新たに記録された新規プログラムが先頭プログラムになるとともに新規プログラムの記録前に既に記録媒体に記録されていたプログラムのトラック番号が１ずつ大きくなるように管理領域を編集し、第１の操作入力とは異なる第２の操作入力が行われた場合には新規プログラムが記録済みのプログラムに続けて記録されるように管理領域を編集し、
記録済み記録媒体が装着された状態で第１の操作入力および第２の操作入力と異なる第３の操作入力が行われた場合には、記録済み記録媒体に最後に記録されたプログラムが先頭プログラムになるように該プログラムのトラック番号を変更するとともに、変更前のトラック番号より小さいトラック番号が１ずつ大きくなるように管理領域を編集する編集手段を備える記録装置である。
【００１４】
請求項３に係わる発明は、プログラムが記録される記録領域と、記録領域に記録されたプログラムを管理する管理領域とを備える記録媒体にプログラムを記録する記録装置において、
第１の操作が入力される第１の操作入力手段と、
第２の操作が入力される第２の操作入力手段と、
第１の操作入力手段による入力の有無を判別する第１の判別手段と、
第２の操作入力手段による入力の有無を判別する第２の判別手段と、
記録媒体にデータを記録する記録手段と、
既に記録済のプログラムに追加して新規プログラムを記録する際に、記録の開始前に第１の操作入力手段による入力があったと第１の判別手段が判別し、且つ第２の判別手段が第２の操作入力手段による入力を未検出と判別した場合には、新規プログラムの記録後に新規プログラムが先頭プログラムになるとともに、新規プログラムの記録前に既に記録媒体に記録されていたプログラムのトラック番号が１ずつ大きくなるように管理領域のデータが書き換えられるように記録手段を制御し、
第２の操作入力手段による入力があったと第２の判別手段が判別し、且つ第１の判別手段が第１の操作入力手段による入力を未検出と判別した場合には、新規プログラムの記録後に新規プログラムが既に記録済みのプログラムに続くように管理領域が書き換えられるように記録手段を制御し、
第１の操作入力手段による入力があったと第１の判別手段が判別し、且つ第２の操作入力手段による入力があったと第２の判別手段が判別した場合には、記録媒体に既に記録されたプログラムのうち最後に記録されたプログラムが先頭プログラムになるように該プログラムのトラック番号を変更するとともに、変更前のトラック番号より小さいトラック番号が１ずつ大きくなるように管理領域が書き換えられるように記録手段を制御する制御手段と
を備える記録装置である。
【００１５】
トゥーヘッドキーと呼ばれるキーが設けられ、このトゥーヘッドキーを使うと、直前に記録した楽曲の曲番が先頭になるように記録を行なうことができる。つまり、以下のような操作を行なえば、新規に記録した楽曲が先頭の曲番となるようにすることができるようになる。
【００１６】
(1) ＭＤ記録／再生装置にＭＤを挿入する
(2) トゥーヘッドキーを押して、新規の楽曲を記録する
(3) 録音が完了すると、新規の楽曲が先頭の曲番となる
(4) 録音編集完了。
【００１７】
また、トゥーヘッドキーと録音キーとを同時に押すと、最新に記録した楽曲の曲番が先頭になるように楽曲の曲順を編集することができる。
【００１８】
【発明の実施の形態】
以下、この発明の実施の形態について図面を参照して説明する。図１は、この発明が適用されたＭＤ記録／再生装置５０を全体として示すものである。図１において、ＭＤ記録／再生装置５０には、ディスク装着部５１が設けられる。ディスク装着部５１は開閉自在とされており、ディスク装着や取り出し行なう際には、このディスク装着部５１が開かれ、ディスク装着部５１からディスクの装着及び取り出しが行なわれる。
【００１９】
ディスク装着部５１上には、表示部５２が設けられる。表示部５２は、例えば液晶ディスプレイであり、この表示部５２には、記録時間、再生時間、トラック番号等が表示される。また、この表示部５２には、ディスクの情報やディスクに記録された各プログラムに関する情報を文字で表示させることもできる。
【００２０】
ＭＤ記録／再生装置５０の上面には、再生キー５５、停止キー５６、ＦＦ（早送り）キー及びＲＥＷ（巻き戻し）キー５７Ａ及び５７Ｂ、録音キー５８が設けられる。更に、この発明が適用されたＭＤ記録／再生装置には、トゥーヘッドキー５９が設けられる。このトゥーヘッドキー５９は、新規に記録した楽曲の曲番が先頭になるように記録を行なうときに使用される。
【００２１】
また、ＭＤ記録／再生装置５０の側面には、音量アップ及びダンウキー６０Ａ及び６０Ｂが設けられる。また、ＭＤ記録／再生装置５０の側面には、図示せずも、外部からのオーディオ信号を入力するための入力端子や、外部へのオーディオ信号を出力するための出力端子や、ヘッドホン出力端子が設けられている。
【００２２】
このように、この発明が適用されたＭＤ記録／再生装置５０には、トゥーヘッドキー５９が設けられる。このトゥーヘッドキー５９を使うと、新規に記録した楽曲の曲番が先頭になるように記録を行なうことができる。
【００２３】
例えば、図２Ａに示すように、曲番「１」に「ＹＥＳＴＥＲＤＡＹ」、曲番「２」に「ＬＯＶＥ  ＭＥ  ＤＯ」、曲番「３」に「ＨＥＬＰ」が既に記録されているディスクに、新たに次の曲「ＬＥＴ  ＩＴ  ＢＥ」を記録するものとする。
【００２４】
この場合、録音キー５８を押して、通常の記録を行なうと、図２Ｂに示すように、曲番「１」、「２」、「３」は変更はなく、「ＹＥＳＴＥＲＤＡＹ」、「ＬＯＶＥ  ＭＥ  ＤＯ」、「ＨＥＬＰ」であり、次の曲番「４」に、「ＬＥＴ  ＩＴ  ＢＥ」が記録される。
【００２５】
これに対して、トゥーヘッドキー５９を押して、次の曲「ＬＥＴ  ＩＴ  ＢＥ」を記録を行なうと、図３Ｂに示すように、曲番「１」が新規に記録した曲の「ＬＥＴ  ＩＴ  ＢＥ」となり、曲番「２」が「ＹＥＳＴＥＲＤＡＹ」、曲番「３」が「ＬＯＶＥ  ＭＥ  ＤＯ」、曲番「４」が「ＨＥＬＰ」となる。このように、トゥーヘッドキー５９を押して記録を行なうと、新規に記録した曲が先頭の曲番になる。
【００２６】
このようなトゥーヘッドキー５９による録音は、オリジナルなＭＤを作成する場合に有効である。
【００２７】
例えば、あるアーチストのシングルＣＤが発売される毎にその曲をＭＤに記録して、そのアーチストのシングル曲を集めたユーザオリジナルのベストＭＤを作成するとする。この場合には、ユーザが最も聴きたい曲は、最新のヒット曲であることが多い。トゥーヘッドキー５９を押して記録を行なうと、新規に記録した曲の曲番が先頭になるため、最新のヒット曲が先頭の曲番となり、最新の曲に簡単にアクセスできる。
【００２８】
また、例えば、ＦＭ放送や衛星放送で流されている曲の中から、ユーザが気に入った曲をＭＤに記録する場合、記録が終了したらその曲を再生させ、記録状態を確認するようなことが良く行なわれる。トゥーヘッドキー５９を押して記録を行なうと、直前に記録した曲の曲番が先頭になるため、記録した曲の確認を簡単に行なうことができる。
【００２９】
更に、ＭＤは、会議の記録を残したり、自分の声を記録して語学学習をするのにも好適である。このように会議の記録を残したり、語学学習をする場合にも、トゥーヘッドキー５９は有効である。すなわち、トゥーヘッドキー５９を押して記録を行なうと、録音した所に簡単にアクセスすることができ、直前に記録した発言や、自分の発音を直ちに確認することができる。
【００３０】
なお、図１の例では、携帯型のＭＤ記録／再生装置とされているが、勿論、トゥーヘッドキーを設けることができるのは、携帯型の構成に限られるものではない。オーディオコンポーネントステレオシステムに組み込まれたＭＤ記録／再生装置にトゥーヘッドキーを設けるようにしても良い。また、この場合、トゥーヘッドキーとＣＤ再生装置の再生動作とを連動させて、トゥーヘッドキーが押されると、ＣＤの再生が自動的に開始されるようにしても良い。
【００３１】
図４は、この発明が適用できるＭＤ／記録再生装置の構成を示すブロック図である。図４において、１は光磁気ディスクを示し、この光磁気ディスク１は、スピンドルモータ２により回転駆動される。光磁気ディスク１は、カートリッジに収納された直径６４ｍｍのディスクで、ＭＤ（Mini Disc ）と呼ばれている。また、光磁気ディスク１の代わりに、再生専用の光ディスクが装着可能である。
【００３２】
光磁気ディスク１に対して、光学ヘッド３が設けられる。光学ヘッド３は、記録時には記録トラックをキュリー温度まで加熱するための高レベルのレーザ光を出力し、また、再生時には磁気カー効果により反射光からデータを検出するための比較的低レベルのレーザを出力する。
【００３３】
光学ヘッド３は、レーザ光を出力するためのレーザダイオードと、偏光ビームスプリッタや対物レンズからなる光学系、及び反射光を検出するためのディテクタが搭載されている。対物レンズ３ａは、２軸デバイス４によりディスクの半径方向及びディスクに接離する方向に変位可能に保持されている。
【００３４】
光学ヘッド３と対向して、磁気ヘッド６ａが設けられる。磁気ヘッド６ａには、データにより変調された磁界を光磁気ディスク１に印加するものである。光学ヘッド３全体及び磁気ヘッド６ａは、スレッド機構５によりディスクの半径方向に移動可能とされている。
【００３５】
光学ヘッド３により光磁気ディスク１から検出された情報は、ＲＦアンプ７に供給される。ＲＦアンプ７からは、光学ヘッド３の各ディテクタの出力を演算処理することにより、再生ＲＦ信号、トラッキングエラー信号、フォーカスエラー信号、ウォブル記録されている絶対位置情報、アドレス情報等が抽出される。この再生ＲＦ信号は、ＥＦＭ（Eight To Fourteen Modulation）及びＡＣＩＣＲ（Advanced Cross Interleave Reed-Solomon Code ）エンコーダ／デコーダ部８に供給される。また、ＲＦアンプ７からのトラッキングエラー信号は、サーボ回路９に供給され、アドレス情報は、アドレスデコーダ１０に供給されてデコードされ、絶対位置アドレスとして出力される。
【００３６】
サーボ回路９は、トラッキングエラー信号、フォーカスエラー信号や、システムコントローラ１１からのトラックジャンプ指令、シーク指令、スピンドルモータ２の回転速度検出情報等により各種のサーボ駆動信号を発生させ、２軸デバイス４及びスレッド機構５を制御して、フォーカス及びトラッキング制御を行う。
【００３７】
全体動作は、システムコントローラ１１により管理されている。システムコントローラ１１には、操作入力部１９から入力が与えられる。操作入力部１９は、再生キー５５、停止キー５６、ＦＦキー及びＲＥＷキー５７Ａ及び５７Ｂ、録音キー５８、トゥーヘッドキー５９、音量アップ及びダウンキー６０Ａ及び６０Ｂ等が含まれている。
【００３８】
また、システムコントローラ１１の出力が表示部５２に供給される。表示部５２に、種々の設定状態が表示される。
【００３９】
記録時には、入力端子１７にアナログオーディオ信号が供給される。このアナログオーディオ信号は、Ａ／Ｄコンバータ１８に供給され、Ａ／Ｄコンバータ１８によりアナログオーディオ信号が、例えばサンプリング周波数４４．１ｋＨｚ、量子化ビット数１６ビットでディジタル化される。Ａ／Ｄコンバータ１８の出力は、音声圧縮エンコーダ／デコータ１４に供給される。音声圧縮エンコーダ／デコータ１４は、ＡＴＲＡＣ（Advanced Transform Acoustic Coding）により音声データを圧縮するものである。音声圧縮エンコーダ／デコータ１４により、オーディオデータは約１／５に圧縮される。
【００４０】
音声圧縮エンコーダ／デコーダ１４の出力は、メモリコントローラ１２の制御の基に、ＲＡＭ１３に一旦蓄えられる。ＲＡＭ１３の出力は、ＥＦＭ及びＡＣＩＲＣエンコーダ／デコーダ８に供給される。ＥＦＭ及びＡＣＩＲＣエンコーダ／デコーダ８により、ＡＣＩＲＣによるエラー訂正符号化が行われ、更に、記録データがＥＦＭ変調される。このＥＦＭ及びＡＣＩＲＣエンコーダ／デコーダ８の出力は、磁気ヘッド駆動回路６を介して、磁気ヘッド６ａに供給される。
【００４１】
磁気ヘッド駆動回路６は、エンコード処理された記録データに応じて、磁気ヘッド６ａに磁気ヘッド駆動信号を供給する。つまり、光磁気ディスク１に対して磁気ヘット６ａによる磁界が印加される。また、このとき、光学ヘッド３からは、記録レベルのレーザ光が出力される。これにより、光磁気ディスク１に、磁界変調方式によりデータが記録される。
【００４２】
再生時には、光学ヘッド３により、光磁気ディスク１の記録信号が再生される。この光学ヘッド３の出力は、ＲＦアンプ７に供給され、ＲＦアンプ７からは、再生ＲＦ信号が得られる。この再生ＲＦ信号は、ＥＦＭ及びＡＣＩＲＣエンコーダ／デコーダ８に供給される。ＥＦＭ及びＡＣＩＲＣエンコーダ／デコーダ８で、再生ＲＦ信号に対して、ＥＦＭ復調処理、ＡＣＩＲＣによるエラー訂正処理が行われる。
【００４３】
ＥＦＭ及びＡＣＩＲＣエンコーダ／デコーダ８の出力は、メモリコントローラ１２の制御の基に、一旦、ＲＡＭ１３に書き込まれる。なお、光学ヘッド３による光磁気ディスク１からのデータの読み取り及び光学ヘッド３からＲＡＭ１３までの系おける再生データの転送は、１．４１Ｍｂｉｔ／ｓｅｃで、然も、間欠的に行われる。
【００４４】
ＲＡＭ１３に書き込まれたデータは、再生データの転送が０．３Ｍｂｉｔ／ｓｅｃとなるタイミングで読み出され、音声圧縮エンコーダ／デコータ１４に供給される。音声圧縮エンコーダ／デコーダ１４で、ＡＴＲＡＣによる音声データの伸長処理がなされる。
【００４５】
音声圧縮エンコーダ／デコーダ１４の出力は、Ｄ／Ａコンバータ１５に供給される。Ｄ／Ａコンバータ１５により、ディジタルオーディオ信号がアナログオーディオ信号に変換される。このアナログオーディオ信号が出力端子１６から出力される。
【００４６】
ここで、ＲＡＭ１３へのデータの書込み／読出しは、メモリコントローラ１２によって書込みポインタと読出しポインタの制御によりアドレス指定して行われるが、書込みポインタは１．４１Ｍｂｉｔ／ｓｅｃのタイミングでインクリメントされ、一方、読出しポインタは０．３Ｍｂｉｔ／ｓｅｃのタイミングでインクリメントされていく。この書込みと読出しのビットレートの差により、ＲＡＭ１３内にある程度データが蓄積された状態となる。ＲＡＭ１３内にフル容量のデータが蓄積された時点で、書込みポインタのインクリンメトは停止され、光学ヘッド３による光磁気ディスク１からのデータの読出し動作も停止される。但し、読出しポインタのインクリメントは継続して実行されているため、再生音声出力はとぎれることがない。
【００４７】
その後、ＲＡＭ１３から読出し動作のみが継続されていき、ある時点でＲＡＭ１３内のデータ蓄積量が所定量以下となったとすると、再び光学ヘッド３によるデータ読出し動作及び書込みポインタのインクリメントが再開され、再びＲＡＭ１３のデータ蓄積がなされていく。
【００４８】
このようにＲＡＭ１３を介して再生オーディオ信号を出力することにより、例えば外乱等でトラッキングが外れた場合などでも、再生音声出力が中断してしまうことがなく、データ蓄積が残っているうちに例えば正しいトラッキング位置までアクセスしてデータ読出しを再開することで、再生出力に影響を与えずに、動作を続行できる。
【００４９】
光磁気ディスク１には、その最内周のリードインにＴＯＣ（Table Of Contents ）が設けられ、その直ぐ外側に、ユーザデータを管理するためのＵ−ＴＯＣ（User Table Of Contents）が設けられている。Ｕ−ＴＯＣのセクタ０には、基本情報と、各曲のスタートアドレス及びエンドアドレスが記録される。
【００５０】
図５は、Ｕ−ＴＯＣセクタ０の構成を示すものである。図５に示すように、Ｕ−ＴＯＣセクタ０には、先頭に所定のビットパターンのヘッダが設けられる。続いて所定アドレス位置にメーカーコード（Ｍａｋｅｒ  ｃｏｄｅ）、モデルコード（Ｍｏｄｅｌ  ｃｏｄｅ）、最初の楽曲の曲番（Ｆｉｒｓｔ  ＴＮＯ）、最後の楽曲の曲番（ＬＡＳＴ  ＴＮＯ）、セクタ使用状況（Ｕｓｅｄ  Ｓｅｃｔｏｒｓ）、ディスクシリアルナンバ（Ｄｉｓｃ  Ｓｅｒｉａｌ  Ｎｏ）、ディスクＩＤ（Ｄｉｓｃ  ＩＤ）等が記録される。
【００５１】
更に、ユーザが録音を行なって記録されている楽曲の領域やフリーエリア領域等の情報を指し示す各種のテーブルポインタが記録される。このテーブルポインタにより指し示されるポジションに、対応するパーツの起点となるスタートアドレスと、終端となるエンドアドレスと、そのモード情報（トラックモード）が記録されている。更に、各パーツテーブルで示されるパーツが他のパーツへ続いて連結される場合があるため、その連結されるパーツのスタートアドレス及びエンドアドレスが記録されているパーツテーブルのポジションを指し示すリンク情報（Ｌｉｎｋ−Ｐ）が記録される。
【００５２】
なお、ポインタのバイトポジションは、
７６×４＋（ポインタ）×８
により求められる。
【００５３】
テーブルポインタＰ−ＤＦＡは、ディスク上に欠陥領域がある場合に、その欠陥領域の先頭のパーツテーブルのポジションを指し示すポインタである。つまり、欠陥パーツが存在する場合は、テーブルポインタＰ−ＤＦＡにおいて指し示されるポジションのパーツテーブルに、欠陥が存在する部分のスタート及びエンドアドレスが示される。また、他にも欠陥パーツが存在する場合、そのパーツテーブルのポジションがリンク情報（Ｌｉｎｋ−Ｐ）により指し示される。他の欠陥パーツがない場合には、リンク情報（Ｌｉｎｋ−Ｐ）は例えば（００ｈ）とされ、以降リンクなしとされる。
【００５４】
テーブルポインタＰ−ＥＭＰＴＹは、未使用パーツテーブルの先頭のパーツテーブルのポジションを指し示すポインタである。テーブルポインタＰ−ＥＭＰＴＹによって指定されたパーツテーブルに、未使用領域の部分のスタート及びエンドアドレスが示される。更に、未使用のパーツテーブルが複数存在する場合は、リンク情報（Ｌｉｎｋ−Ｐ）によって、順次パーツテーブルのポジションが指定される。他の未使用領域がない場合には、リンク情報（Ｌｉｎｋ−Ｐ）は例えば（００ｈ）とされ、以降リンクなしとされる。
【００５５】
テーブルポインタＰ−ＦＲＡは、書込可能なフリーエリア（消去領域を含む）の先頭のパーツテーブルのポジションを指し示すポインタである。このようなパーツが複数個あり、つまりパーツテーブルが複数個なる場合には、リンク情報（Ｌｉｎｋ−Ｐ）により、順次パーツテーブルが指定される。他のフリーエリアがない場合には、リンク情報（Ｌｉｎｋ−Ｐ）は例えば（００ｈ）とされ、以降リンクなしとされる。
【００５６】
テーブルポインタＰ−ＴＮＯ１〜Ｐ−ＴＮＯ２５５は、ユーザが記録した各楽曲についての先頭のパーツテーブルのポジションを指し示すポインタである。すなわち、テーブルポインタＰ−ＴＮＯ１は、１曲目とされた楽曲のデータのスタート及びエンドアドレスが記録されたパーツテーブルのポジションが指し示され、テーブルポインタＰ−ＴＮＯ２は、２曲目とされた楽曲のデータのスタート及びエンドアドレスが記録されたパーツテーブルのポジションが指し示され、テーブルポインタＰ−ＴＮＯ３は、３曲目とされた楽曲のデータのスタート及びエンドアドレスが記録されたパーツテーブルのポジションが指し示される。また、１つの楽曲のデータは、物理的に不連続に、即ち複数のパーツに渡って記録されていても良い。１つの楽曲が複数のパーツに分割されて記録されている場合には、リンク情報（Ｌｉｎｋ−Ｐ）により、順次パーツテーブルのポジションが指し示される。他のパーツテーブルに楽曲が続いていない場合には、リンク情報（Ｌｉｎｋ−Ｐ）は例えば（００ｈ）とされ、以降リンクなしとされる。
【００５７】
前述したように、この発明が適用されたＭＤ記録／再生装置には、トゥーヘッドキー５９が設けられており、このトゥーヘッドキー５９が押されると、直前に記録した曲が先頭の曲番となる。このような処理は、上述のＵ−ＴＯＣのセクタ０を編集することにより実現できる。
【００５８】
例えば、Ｕ−ＴＯＣのセクタ０のテーブルポインタに、図６に示すようなデータが記録されているとする。この場合、ディスク上には、図７Ａに示すように、データが配置されていることになる。
【００５９】
つまり、図６において、１曲目の楽曲のテーブルポインタＰ−ＴＮＯ１はポジションＡＤＲ１を指し示しており、このポジションＡＤＲ１で差し示されるパーツには、スタートアドレスとしてＡ１が書き込まれ、エンドアドレスとしてＡ２が書き込まれる。したがって、図７Ａに示すように、ディスク上のアドレスＡ１〜Ａ２に１曲目の楽曲が記録されている。
【００６０】
図６に示すように、２曲目の楽曲のテーブルポインタＰ−ＴＮＯ２で指し示されるポジョシンＡＤＲ４のパーツには、スタートアドレスとしてＡ７が書き込まれ、エンドアドレスとしてＡ８が書き込まれている。そして、リンク情報Ｌｉｎ−Ｐで指し示されるポジションＡＤＲ６のパーツには、スタートアドレスとしてＡ１１が書き込まれ、エンドアドレスとしてＡ１２が書き込まれる。したがって、図７Ａに示すように、ディスク上のアドレスＡ７〜Ａ８に２曲目の楽曲が前半が記録され、アドレスＡ１１〜Ａ１２に２曲目の楽曲が後半が記録されている。
【００６１】
図６に示すように、３曲目の楽曲のテーブルポインタＰ−ＴＮＯ３で指し示されるポジョシンＡＤＲ３のパーツには、スタートアドレスとしてＡ５が書き込まれ、エンドアドレスとしてＡ６が書き込まれている。そして、リンク情報Ｌｉｎｋ−Ｐは（００ｈ）とされている。したがって、図７Ａに示すように、ディスク上のアドレスＡ５〜Ａ６に３曲目の楽曲が記録される。
【００６２】
図６に示すように、書込可能なフリーエリアのテーブルポインタＰ−ＦＲＡで指し示されるポジションＡＤＲ２のパーツには、スタートアドレスとしてＡ３が書き込まれ、エンドアドレスとしてＡ４が書き込まれている。そして、リンク情報Ｌｉｎ−Ｐで指し示されるポジションＡＤＲ５のパーツには、スタートアドレスとしてＡ９が書き込まれ、エンドアドレスとしてＡ１０が書き込まれる。したがって、図７Ａに示すように、ディスク上のアドレスＡ３〜Ａ４及びアドレスＡ９〜Ａ１０が記録可能なフリーエリアとなる。
【００６３】
図７Ａに示すようにデータが記録されているディスクに、記録キー５８を使って通常の記録を行なうと、図７Ｂに示すようにデータが記録され、このときのＵ−ＴＯＣは、図８に示すようになる。
【００６４】
つまり、図７Ａに示すように、それまで記録可能なフリーエリアは、アドレスＡ３〜Ａ４及びアドレスＡ９〜Ａ１０なので、次のデータは、アドレスＡ３から記録される。次に記録したデータがアドレスＡ３〜Ａ４内のフリーエリアに収まれば、図７Ｂに示すように、このアドレス３〜Ａ４内のアドレスＡ３〜Ａ１３に次のデータが記録され、これが４曲目となり、アドレスＡ１４〜Ａ４が新たなフリーエリアとなる。
【００６５】
したがって、図８に示すように、Ｕ−ＴＯＣ上では、１曲目、２曲目、３曲目については変更がなく、４曲目の楽曲のテーブルポインタＰ−ＴＮＯ４で指し示されるポジョシンＡＤＲ７のパーツには、スタートアドレスとしてＡ３が書き込まれ、エンドアドレスとしてＡ１３が書き込まれ、リンク情報Ｌｉｎｋ−Ｐには（００ｈ）が書き込まれる。そして、書込可能なフリーエリアのテーブルポインタＰ−ＦＲＡで指し示されるポジションＡＤＲ２のパーツには、スタートアドレスとしてＡ１４が書き込まれ、エンドアドレスとしてＡ４が書き込まれ、リンク情報Ｌｉｎ−Ｐで指し示されるポジションＡＤＲ５のパーツには、スタートアドレスとしてＡ９が書き込まれ、エンドアドレスとしてＡ１０が書き込まれる。
【００６６】
これに対して、トゥーヘッドキー５９を使って記録を行なうと、図７Ｃに示すようにデータが記録され、このときのＵ−ＴＯＣは、図９に示すようになる。
【００６７】
つまり、図７Ａに示すように、それまで記録可能なフリーエリアは、アドレスＡ３〜Ａ４及びアドレスＡ９〜Ａ１０なので、次のデータは、アドレスＡ３から記録される。次に記録したデータがアドレスＡ３〜Ａ４内のフリーエリアに収まれば、図７Ｃに示すように、このアドレスＡ３〜Ａ４内のアドレスＡ３〜Ａ１３に次のデータが記録され、アドレスＡ１４〜Ａ４が新たなフリーエリアとなる。そして、新規に記録された楽曲の曲番が１曲目となり、それまで、１曲目、２曲目、３曲目であった楽曲の曲番が、夫々、２曲目、３曲目、４曲目となる。
【００６８】
したがって、図９に示すように、Ｕ−ＴＯＣ上では、ポジションＡＤＲ７に、新たに記録した領域のスタートアドレスＡ３及びエンドアドレスＡ１３が記録され、１曲目のテーブルポインタＰ−ＴＮＯ１は、それまでのポジションＡＤＲ１からＡＤＲ７に更新される。２曲目のテーブルポインタＰ−ＴＮＯ２はそれまでのポジションＡＤＲ４からＡＤＲ１に更新される。３曲目のテーブルポインタＰ−ＴＮＯ３はそれまでのポジションＡＤＲ３からＡＤＲ４に更新される。４曲目のテーブルポインタＰ−ＴＮＯ４には、ポジションＡＤＲ３が書き込まれる。そして、書き込み可能なフリーエリアのテーブルポインタＰ−ＦＲＡで指し示されるポジションＡＤＲ２のパーツには、スタートアドレスとしてＡ１４が書き込まれ、エンドアドレスとしてＡ４が書き込まれ、リンク情報Ｌｉｎ−Ｐで指し示されるポジションＡＤＲ５のパーツには、スタートアドレスとしてＡ９が書き込まれ、エンドアドレスとしてＡ１０が書き込まれる。
【００６９】
このように、Ｕ−ＴＯＣのセクタ０を編集することにより、新規に記録した楽曲の曲番を先頭にすることができる。
【００７０】
図１０は、上述のように、トゥーヘッドキー５９を用いて、新規に記録した楽曲の曲番を先頭に位置させるように記録する場合の処理を示すフローチャートである。
【００７１】
図１０において、トゥーヘッドキー５９が押されたか否かが判断される（ステップＳＴ１）。トゥーヘッドキー５９が押されたら、Ｕ−ＴＯＣのデータが光磁気ディスク１から読み出され、このＵ−ＴＯＣのデータがＲＡＭ１３に蓄えられる。そして、新規の楽曲のデータ（プログラム）の記録が開始される（ステップＳＴ３）。新規の楽曲のデータの記録が終了したか否かが判断され（ステップＳＴ４）、新規の楽曲のデータの記録が終了したら、Ｕ−ＴＯＣが編集される（ステップＳＴ５）。すなわち、図９に示したように、新規な楽曲の曲番が先頭の曲番となるように、Ｕ−ＴＯＣが編集される。Ｕ−ＴＣＯの編集が終了されたら、編集されたＵ−ＴＯＣがＲＡＭ１３から光磁気ディスク１のＵ−ＴＯＣ領域に記録される（ステップＳＴ６）。
【００７２】
なお、上述の例では、新規の曲を記録する際に、新規に記録した楽曲の曲番を先頭の曲番となるようにするものであるが、楽曲の記録を既に終了した後にも、例えば、録音キー５８とトゥーヘッドキー５９を同時に押すと、新規に記録した楽曲が先頭の曲番となるように変更できる。このような制御は、Ｕ−ＴＯＣのセクタ２の情報から最も新しく記録した楽曲を判断し、この最も新しく記録した曲を最初の曲番とするような処理により実現できる。
【００７３】
つまり、Ｕ−ＴＯＣのセクタ２は、各曲の記録年、月、日、時、分、秒についての管理情報が記録される。図１１は、Ｕ−ＴＯＣセクタ２の構成を示すものである。図１１に示すように、Ｕ−ＴＯＣセクタ２には、所定のビットパターンのヘッダが設けられる。続いて、時間や日付情報に関する各種のテーブルポインタが記録される。
【００７４】
テーブルポインタＰ−ＥＭＰＴＹは、未使用パーツテーブルのポジションを指し示すポインタである。なお、テーブルポインタＰ−ＥＭＰＴＹで指し示されるスロットには、リンク情報Ｌｉｎｋ−Ｐが含まれており、このＬｉｎｋ−Ｐにより次の未使用パーツテーブルの先頭のポジションが指し示される。
【００７５】
テーブルポインタＰ−ＴＲＤ１〜Ｐ−ＴＲＤ２５５は、各トラックナンバの時間情報及び日付情報のパーツテーブルのポジションを示すポインタである。テーブルポインタＰ−ＴＲＤ１〜Ｐ−ＴＲＤ２５５で指し示されるポジションのパーツテーブルに、各曲を記録したときの年、月、日、時間、分、秒が記録されている。また、パーツテーブルには、メーカコード及びモデルコードが納められている。
【００７６】
図１２は、楽曲の記録を終了した後に、新規に記録した楽曲が先頭の曲番となるように変更する場合の処理を示すものである。
【００７７】
図１２において、トゥーヘッドキー５９と録音キー５８とが同時に押されたか否かが判断される（ステップＳＴ１１）。トゥーヘッドキー５９と録音キー５８とが同時に押されたら、Ｕ−ＴＯＣのデータが読み出され、このＵ−ＴＯＣのデータがＲＡＭ１３に蓄えられる（ステップＳＴ１２）。Ｕ−ＴＯＣのセクタ２の情報から、最新の楽曲が検索される（ステップＳＴ１３）。そして、この最新の楽曲が先頭の曲番となるように、Ｕ−ＴＯＣのセクタ０及びＵ−ＴＯＣのセクタ２が編集される（ステップＳＴ１４）。すなわち、Ｕ−ＴＯＣのセクタ２の情報から最新のプログラの曲番が先頭の曲番となるように、Ｕ−ＴＯＣが編集される。Ｕ−ＴＣＯの編集が終了されたら、編集されたＵ−ＴＯＣがＲＡＭ１３から光磁気ディスク１のＵ−ＴＯＣ領域に記録される（ステップＳＴ１５）。
【００７８】
なお、上述の例では、オーディオ信号をＭＤに記録するようにしているが、この発明は、プログラムを記録するデータ領域と、この記録したプログラムに関する管理領域が設けられているような他の記録媒体にプログラムを記録する場合にも、同様に適用することができる。
【００７９】
【発明の効果】
この発明によれは、トゥーヘッドキーが設けられ、このトゥーヘッドキーを使うと、直前に記録した楽曲の曲番が先頭になるように記録を行なうことができる。また、トゥーヘッドキーと録音キーとを使うと、楽曲の記録を終了した後に、新規に記録した楽曲が先頭の曲番となるように変更することかできる。これにより、例えば、あるアーチストのシングル曲を集めたユーザオリジナルのベストＭＤを作成する場合には、新規に記録した最新のヒット曲の曲番を先頭にすることができ、最新の曲を直ちに再生することができる。また、例えば、ＦＭ放送や衛星放送で流されている曲の中から、ユーザが気に入った曲をＭＤに記録する場合、直前に記録した楽曲の曲番が先頭となり、直前に記録した楽曲を簡単に再生して、再生状態を確認することができる。更に、会議の記録を残したり、語学学習をする場合に、トゥーヘッドキーを押して記録を行なうと、録音した所に簡単にアクセスすることができ、直前に記録した発言や、自分の発音を直ちに確認することができる。
【図面の簡単な説明】
【図１】この発明が適用できるＭＤ記録／再生装置の一例の斜視図である。
【図２】この発明が適用できるＭＤ記録／再生装置の一例の説明に用いる略線図である。
【図３】この発明が適用できるＭＤ記録／再生装置の一例の説明に用いる略線図である。
【図４】この発明が適用できるＭＤ記録／再生装置の一例のブロック図である。
【図５】Ｕ−ＴＯＣの説明に用いる略線図である。
【図６】この発明が適用できるＭＤ記録／再生装置の一例の動作説明に用いる略線図である。
【図７】この発明が適用できるＭＤ記録／再生装置の一例の動作説明に用いる略線図である。
【図８】この発明が適用できるＭＤ記録／再生装置の一例の動作説明に用いる略線図である。
【図９】この発明が適用できるＭＤ記録／再生装置の一例の動作説明に用いる略線図である。
【図１０】この発明が適用できるＭＤ記録／再生装置の一例の動作説明に用いるフローチャートである。
【図１１】Ｕ−ＴＯＣの説明に用いる略線図である。
【図１２】この発明が適用できるＭＤ記録／再生装置の一例の動作説明に用いるフローチャートである。
【符号の説明】
１・・・光磁気ディスク、８・・・ＥＦＭ及びＡＣＩＲＣエンコーダ／デコーダ、１１・・・システムコントローラ、１３・・・ＲＡＭ、１４・・・音声圧縮エンコーダ／デコーダ、５８・・・録音キー、５９・・・トゥーヘッドキー
【図１】
0004597277.tif 000002
【図２】
0004597277.tif 000003
【図３】
0004597277.tif 000004
【図４】
0004597277.tif 000005
【図５】
0004597277.tif 000006
【図６】
0004597277.tif 000007
【図７】
0004597277.tif 000008
【図８】
0004597277.tif 000009
【図９】
0004597277.tif 000010
【図１０】
0004597277.tif 000011
【図１１】
0004597277.tif 000012
【図１２】
0004597277.tif 000013